(57)【要約】光磁気ディスク装置用のクリーナ（Ｃ１）は、カートリッジ（４）とディスク（１）と、ディスク（１）に貼付された粘着性シート（２）と、クランピングディスク（３）と、シャッター（５）とを具備して構成されている。クランピングディスク（３）は回転可能にカートリッジ（４）に収容されており、かつディスク（１）はクランピングディスク（３）と離れた箇所においてカートリッジ（４）に固定されている。このことにより、光学ヘッド（１７）を安全にクリーニングすることが可能となる。また、光磁気ディスク装置（Ｐ１）に塵埃を飛散させることを回避できる。
2004066291.tif 000002
【特許請求の範囲】
【請求項１】
光情報処理装置の光学ヘッドに接触可能なクリーニング用の接触部材を備えている、光情報処理装置用クリーナであって、
上記接触部材として、表面に粘着性を有する粘着性部材が用いられていることを特徴とする、光情報処理装置用クリーナ。
【請求項２】
上記粘着性部材は、上記光学ヘッドに接触するときには、その接触方向と交差する方向への移動が阻止された状態を維持するように構成されている、請求項１に記載の光情報処理装置用クリーナ。
【請求項３】
上記粘着性部材の少なくとも表層部は、ゴム状弾性を有している、請求項１に記載の光情報処理装置用クリーナ。
【請求項４】
上記粘着性部材の少なくとも表層部は、ゲル状物質により構成されている、請求項１に記載の光情報処理装置用クリーナ。
【請求項５】
光情報処理装置の光記録媒体用の装填部に装填可能に形成されたカートリッジを備えており、かつ、
上記カートリッジには、上記粘着性部材が収容されているとともに、上記粘着性部材と上記光学ヘッドとの接触を可能とする窓部が形成されている、請求項１に記載の光情報処理装置用クリーナ。
【請求項６】
上記窓部を開閉自在とするシャッタを備えている、請求項５に記載の光情報処理装置用クリーナ。
【請求項７】
上記粘着性部材は、上記カートリッジ内のうち、上記窓部と対向する箇所に固定して設けられている、請求項６に記載の光情報処理装置用クリーナ。
【請求項８】
上記カートリッジ内には、クランピング用のディスクが回転可能に収容されており、かつ上記粘着性部材は上記ディスクから離れた箇所に位置している、請求項７に記載の光情報処理装置用クリーナ。
【請求項９】
クランピング用の第１のディスクと、この第１のディスクに支持され、かつ上記粘着性部材を搭載している第２のディスクと、を備えており、
上記第１および第２のディスクは、それらの周方向に互いに相対回転可能とされている、請求項１に記載の光情報処理装置用クリーナ。
【請求項１０】
上記第１のディスクの中央部には、スピンドル挿入用の孔部が形成されている、請求項９に記載の光情報処理装置用クリーナ。
【請求項１１】
上記第２のディスクの中央部には、孔部が形成されており、かつこの孔部に上記第１のディスクの全体または一部が相対回転可能に嵌合している、請求項９に記載の光情報処理装置用クリーナ。
【請求項１２】
上記光情報処理装置に組み込まれ、かつ上記粘着性部材を支持している支持手段を備えており、
上記光学ヘッドおよび上記支持手段の少なくとも一方が、フォーカス方向およびこのフォーカス方向と交差する方向に移動することにより、上記光学ヘッドおよび上記粘着性部材の接触動作と離反動作とが可能な構成とされている、請求項１に記載の光情報処理装置用クリーナ。
【請求項１３】
光学ヘッドと、この光学ヘッドに接触可能なクリーニング用の接触部材を備えている、光情報処理装置であって、
上記接触部材として、表面に粘着性を有する粘着性部材が用いられていることを特徴とする、光情報処理装置。
【発明の詳細な説明】
【技術分野】  本発明は、光情報処理装置の光学ヘッドをクリーニングするためのクリーナおよび光情報処理装置に関する。
本明細書でいう「光情報処理装置」とは光学的手段を用いることによりデータの記録および／または再生が可能な情報処理装置を意味している。したがって、光ディスクからデータの読み取りを専用に行なう狭義の光情報処理装置に加え、光磁気記録方式や相変化方式などによって光記録媒体に対するデータの書き換えが可能なタイプの情報処理装置も含む広い概念である。
【背景技術】  ＣＤプレーヤやＤＶＤプレーヤに代表される光ディスク装置においては、光ディスクに対する情報の読み書きは、光学ヘッドを用いて行われる。この光学ヘッドは、レーザ光源から進行してきたレーザ光を集束させることにより光ディスクの記録面上にレーザスポットを形成する対物レンズを備えている。この対物レンズには、塵埃が付着する虞れがあり、この対物レンズが汚れると、光学ヘッドの読み書き性能が悪化する。したがって、光学ヘッドは、定期的にクリーニングされることが望ましく、従来においては、次に述べるように、種々のクリーナが提案されている。
特開２０００−２５１２９６号公報には、光ディスク装置用のクリーナが記載されている。このクリーナは、ディスクにブラシを設けたものである。このクリーナを光ディスク装置内に装填することにより、上記ディスクを高速回転させた状態で上記ブラシを上記光ディスク装置の光学ヘッドに接触させると、上記光ディスクのクリーニングが行なわれる。
特開平４−２２１４３２号公報、特開平５−１２０７１３号公報、特開平６−１２４４７３号公報、および特開平８−５５３５６号公報には、光学ヘッドをクリーニングするための接触部材として、布、湿式チップ、弾性変形可能な多孔体、またはスポンジ状弾性部材を用いたクリーナが記載されている。これらの公報に記載されたクリーナにおいても、特開２０００−２５１２９６号公報に記載されたクリーナと同様に、上記接触部材を高速で回転させながら光学ヘッドに接触させることにより、この光学ヘッドのクリーニングを行なうようになっている。
しかしながら、これらの従来技術においては、上記接触部材を高速回転させながら上記光学ヘッドに接触させるために、上記光学ヘッドの対物レンズに傷がつく虞れがある。また、上記光学ヘッドに付着している塵埃は、上記接触部材の高速回転作用によって上記光情報処理装置内に飛び散る。したがって、上記光ディスク装置内には塵埃が残留し、堆積するという問題点もある。
【発明の開示】
本発明の目的は、上記の問題点を解消または軽減することができる光情報処理装置用クリーナおよび光情報処理装置を提供することにある。
本発明の第１の側面によって提供される光情報処理装置用クリーナは、光情報処理装置の光学ヘッドに接触可能なクリーニング用の接触部材を備えている、光情報処理装置用クリーナであって、上記接触部材として、表面に粘着性を有する粘着性部材が用いられていることを特徴としている。
好ましくは、上記粘着性部材は、上記光学ヘッドに接触するときには、その接触方向と交差する方向への移動が阻止された状態を維持するように構成されている。
好ましくは、上記粘着性部材の少なくとも表層部は、ゴム状弾性を有している。
好ましくは、上記粘着性部材の少なくとも表層部は、ゲル状物質により構成されている。
好ましくは、本発明に係る光情報処理装置用クリーナは、光情報処理装置の光記録媒体用の装填部に装填可能に形成されたカートリッジを備えており、かつ、
上記カートリッジには、上記粘着性部材が収容されているとともに、上記粘着性部材と上記光学ヘッドとの接触を可能とする窓部が形成されている。
好ましくは、本発明に係る光情報処理装置用クリーナは、上記窓部を開閉自在とするシャッタを備えている。
好ましくは、上記粘着性部材は、上記カートリッジ内のうち、上記窓部と対向する箇所に固定して設けられている。
好ましくは、上記カートリッジ内には、クランピング用のディスクが回転可能に収容されており、かつ上記粘着性部材は上記ディスクから離れた箇所に位置している。
好ましくは、クランピング用の第１のディスクと、この第１のディスクに支持され、かつ上記粘着性部材を搭載している第２のディスクと、を備えており、上記第１および第２のディスクは、それらの周方向に互いに相対回転可能とされている。
好ましくは、上記第１のディスクの中央部には、スピンドル挿入用の孔部が形成されている。
好ましくは、上記第２のディスクの中央部には、孔部が形成されており、かつこの孔部に上記第１のディスクの全体または一部が相対回転可能に嵌合している。
好ましくは、上記光情報処理装置に組み込まれ、かつ上記粘着性部材を支持している支持手段を備えており、上記光学ヘッドおよび上記支持手段の少なくとも一方が、フォーカス方向およびこのフォーカス方向と交差する方向に移動することにより、上記光学ヘッドおよび上記粘着性部材の接触動作と離反動作とが可能な構成とされている。
本発明の第２の側面によって提供される光情報処理装置は、光学ヘッドと、この光学ヘッドに接触可能なクリーニング用の接触部材を備えている、光情報処理装置であって、上記接触部材として、表面に粘着性を有する粘着性部材が用いられていることを特徴としている。
本発明の特徴および利点は、以下に述べる発明の実施の形態の説明からより明らかになるであろう。
【図面の簡単な説明】  図１は、本発明に係る光情報処理装置用クリーナの一例の断面図である。
図２は、図１に示す光情報処理装置用クリーナの分解斜視図である。
図３は、図１に示す光情報処理装置用クリーナの使用状態の説明図である。
図４は、本発明に係る光情報処理装置用クリーナの他の例の断面図である。
図５は、図４に示す光情報処理装置用クリーナの底面図である。
図６は、本発明に係る光情報処理装置用クリーナの他の例の断面図である。
図７は、本発明に係る光情報処理装置用クリーナの他の例の概略斜視図である。
【発明を実施するための最良の形態】  以下、本発明の好ましい実施の形態について、図面を参照しつつ具体的に説明する。
図１および図２は、本発明が適用された光情報処理装置用のクリーナの一例を表している。クリーナＣ１は、光磁気ディスク装置のクリーニングのために用いられるものであって、カートリッジ４と、カートリッジ４に収容されているディスク１と、粘着性シート２と、クランピングディスク３と、シャッター５とを備えて構成されている。
カートリッジ４は、内部に空間部を形成するように、第１の部材４０と第２の部材４１を接合して形成されている。第１の部材４０には、窓部４０ａが形成されている。カートリッジ４内の中央部には、図３に示されている光磁気ディスク装置Ｐ１のスピンドル２０によって回転させられるクランピングディスク３が取り付けられている。第２の部材４１の中央部には、光磁気ディスク装置Ｐ１のスピンドルを接触可能とするために、クランピングディスク３の一側面を露出させるように円形状の開口部４１ａが形成されている。シャッター５は、窓部４０ａを開閉するためのものであり、常時はバネ（図示略）の力により窓部４０ａを閉状態に保つ。これに対し、クリーナＣ１が光磁気ディスク装置Ｐ１内に装填されたときには、このシャッター５は光磁気ディスク装置Ｐ１のシャッター開口機構により移動し、窓部４０ａを開く。
粘着性シート２は、ディスク１の片面のうち、窓部４０ａと対向する位置に貼付されている。粘着性シート２としては、塵埃を効果的に付着させるのに十分な粘着性を表面に備えた材質のものが用いられている。ただし、過剰な粘着性を有した材料は、光磁気ディスク装置Ｐ１の光学ヘッド１７に粘着成分が付着するため適さない。粘着性シート２は、その全体がゴム状弾性を有しており、その具体的な材質は、シリコーンゴムとされている。上記ような要件を備え、かつ広く流通している材料としては、たとえば信越化学工業株式会社製ＫＥ３４９５やサカセ化学工業株式会社製ＳＲＴ−３３−Ｓなどがある。具体的には、粘着性シート２は、その全体がシリコーンゴムからなり、接着剤などによってディスク１に貼付されるような構成とすることができる。また、本発明においては、表層部のみがシリコーンゴムからなり、かつ他方の面に粘着層が形成されており、それらが基材とともに積層されているシートを用いた構成としてもよい。
ディスク１は、中央に開口部１ａ有しており、それにクランピングディスク３を組み合わせた状態における形状およびサイズは、一般のカートリッジタイプの光磁気ディスクに類似したものとなっている。このディスク１は、ディスク１に設けられた開口部１ａとカートリッジの第２の部材４１に設けられたピン４１ｂとが嵌合されることにより、第２の部材４１に固定されている。一方、クランピングディスク３は、カートリッジ４の第１の部材４０および第２の部材４１によって、回転可能に支持されている。図１に示された例においては、クランピングディスク３に設けられた開口部３ａに、第１の部材４０に設けられたピン４０ｂが挿入され、かつクランピングディスク３が第１の部材４０と第２の部材４１とに挟まれることにより、クランピングディスク３は、ディスク１の内側において回転自在に支持されている。このような構成によれば、クリーナＣ１が光磁気ディスク装置Ｐ１に装填されたときには、光磁気ディスク装置Ｐ１のスピンドルによってクランピングディスク３のみが回転されることとなり、ディスク１は回転されない。
次に、クリーナＣ１が用いられる光磁気ディスク装置Ｐ１の構成について図３を参照して説明する。
光磁気ディスク装置Ｐ１は、光学ユニット１３、キャリッジ１５、スピンドル２０を備えている。光学ユニット１３は、レーザ光源、および光を成形するプリズムなどの発光系と、光ディスクから戻ってくる光を分光するビームスプリッタ、戻り光を感知するディテクタ、およびディテクタに光を集光するレンズなどの受光系とを備えている（いずれも図示略）。光学ユニット１３から出射されたレーザ光１４はキャリッジ１５の立ち上げミラー１６によって、ディスク１へと方向を変えられる。レーザ光１４は光学ヘッド１７に備えられた対物レンズ１７ａを通過して装填部Ｌ１に装填された光磁気ディスク（図示略）に照射される。（図３においては、クリーナＣ１が装填された状態を示しており、上記光磁気ディスクは示されていない。）キャリッジ１５にはベアリング１９が備えられており、ディスク１の半径方向に移動可能とされている。光学ヘッド１７はアクチュエータ１８内のサスペンション（図示略）により支持されている。このアクチュエータ１８によって光学ヘッド１７の位置が制御されることにより、フォーカス制御が行なわれる。具体的には、光磁気ディスク装置Ｐ１に光磁気ディスクが装填された直後やデータの読み書きが行われるときには、アクチュエータ１８によって、光学ヘッド１７が光磁気ディスクに近づけられ、フォーカシングが正確になされると、その状態を保つようにアクチュエータ１８が制御される。フォーカシングが適正になされない場合には、上記した制御が再度実行され、フォーカシングが適正になるまで、上記制御が一定回数だけ繰り返し行われる。また、光学ヘッド１７は、対物レンズ１７ａのほかに、磁気形成用コイル（図示略）を備えている。
次に、クリーナＣ１による光学ヘッド１７のクリーニング動作について説明する。
まず、光磁気ディスク装置Ｐ１の装填部Ｌ１にクリーナＣ１を装填すると、クランピングディスク３がスピンドル２０によって保持される。また、光磁気ディスク装置Ｐ１の開口機構（図示略）によりシャッター５が移動されることにより窓部４０ａが開く。次にフォーカス制御が開始され、アクチュエータ１８により、対物レンズ１７ａがクリーナＣ１に近づけられる。この最中にスピンドル２０が回転することにより、クリーナＣ１のクランピングディスク３が回転させられる場合においても、上述した構成により、ディスク１は回転させられない。よって、停止した状態の粘着性シート２に向かって、対物レンズ１７ａが近づけられ、そして粘着性シート２と対物レンズ１７ａとが接触する。このとき、粘着性シート２は静止しており、レンズ１７ａを物理的に払拭しない。しかし、粘着性シート２は適度な粘着性を有するために、レンズ１７ａの塵埃が粘着性シート２に付着する。これにより、対物レンズ１７ａはクリーニングされる。一方、粘着性シート２はシリコーンゴムからなっているため、光を反射しにくい。したがって、上記ディテクタは戻り光を検知できないため、この後は、フォーカス制御が継続される。よって、対物レンズ１７ａが繰り返して上下に駆動されることによって、粘着性シート２と対物レンズ１７ａとが繰り返し接触することとなり、対物レンズ１７ａのクリーニングが繰り返される。上記の工程が数回繰り返された後に、たとえば光磁気ディスク装置Ｐ１がディスク判定についてのエラーが発生したと認識し、フォーカス制御を終了する。これにより対物レンズ１７ａを備えた光学ヘッド１７は、所定の位置に待避され、対物レンズ１７ａのクリーニングが完了する。
このように、粘着性シート２は回転することなく、静止状態のままで、対物レンズ１７ａに対して接触するのみである。よって両者の間には水平方向の摩擦力がほとんど発生することがない。また、シリコーンゴムからなる粘着シート２は柔軟性を有しており、かつ接触時には対物レンズ１７ａに馴染むように弾性変形することにより、衝突などによる無理な力がかかることもない。よって、対物レンズ１７ａに傷がつくことや、光学ヘッド１７の他の部分を破損することを防止することができる。さらに、粘着性シート２はその表面に付着した塵埃を保持する機能を発揮するため、この粘着性シート２に付着した塵埃が再び対物レンズ１７ａに付着することがない。そして、ブラシによるクリーニングのように、高速で塵埃を払拭することもないため、光磁気ディスク装置Ｐ１内に塵埃が飛散することもない。そのため、光磁気ディスク装置Ｐ１内に塵埃が残留し堆積することを防ぐことができる。
図４および図５は本発明の他の例を示している。本実施形態のクリーナＣ２は、クリーナＣ１とは異なり、上記カートリッジを有しない媒体を読み書きするための光ディスク装置をクリーニングするために用いられるものであって、クリーナディスク５１と、クランピングディスク５２と、リング状の粘着性シート５３とを備えて構成されている。
粘着性シート５３は、ディスク５１の片面全周を覆うように貼付されている。また、粘着性シート５３の材料としては、上述した実施例と同様にシリコーンゴムが適している。
クランピングディスク５２は、ディスク５１の中央部に設けられた開口部内に嵌合されている。ディスク５１の内周面の環状凹部５１ａとクランピングディスク５２の外周面の環状凸部５２ａとは嵌合しており、このことにより、ディスク５１およびクランピングディスク５２は、それらの周方向に互いに相対回転可能であり、かつそれらの厚み方向に外れない構成とされている。
次に、クリーナＣ２の作用について説明する。
まず、クリーナＣ２を光ディスク装置の装填部に装填すると、上記光ディスク装置のスピンドル８１によって、クランピングディスク５２が保持される。上記光ディスク装置の光学ヘッド８０はフォーカス制御を行なうために、クリーナＣ２の下方からクリーナＣ２に向けて近づけられる。その後、上記光学ヘッド８０に備えられた対物レンズ８０ａと粘着性シート５３とが接触する。このとき、スピンドル８１が回転することによってクランピングディスク５２が回転される場合がある。しかし、ディスク５１とクランピングディスク５２とは、互いに相対回転可能な構成とされている。また、ディスク５１は粘着性シート５３を介して上記対物レンズに接触する。よって、上記の場合においては、少なくとも粘着性シート５３と対物レンズ８０ａとが接触している間は、ディスク５１は停止しており、クランピングディスク５２のみが回転する。そして、対物レンズ８０ａの塵埃が粘着性シート５３に付着することにより、対物レンズ８０ａがクリーニングされる。したがって、上述した実施形態と同様のクリーニング作用が得られる。
図６は、上記カートリッジを有しない媒体を読み書きするための光ディスク装置に用いられるクリーナの他の例を示している。
本実施形態のクリーナＣ３は、クリーナＣ２と類似した構成とされており、ディスク６１と、クランピングディスク６２と、リング状の粘着性シート６３とを備えている。クランピングディスク６２は、下部材６２ａと上部材６２ｂとによって構成されている。下部材６２ａの一部が、ディスク６１に設けられた孔を通して、上部材６２ｂに設けられた孔に嵌入されることにより、上部材６２ａと下部材６２ｂとが結合されている。このような構成により、ディスク６１およびクランピングディスク６２は、互いに相対回転可能であり、かつそれらの厚み方向に外れない構成とされている。このような構成によれば、クリーナＣ２を用いてクリーニングしたときと同様の作用が得られる。
図７は本発明に係る光磁気ディスク装置の一例を表している。
光磁気ディスク装置Ｐ２は、上述した光磁気ディスク装置Ｐ１と同様に、光学ユニット（図示略）、キャリッジ１５、光学ヘッド１７、およびスピンドル２０を備えている。さらに、これらに加えて、クリーナ７０を有している。クリーナ７０は、アーム７１と、粘着性シート７２と、駆動機構７３とを具備して構成されている。
粘着性シート７２は、上述した実施例で用いられたシリコーンゴムからなっており、アーム７１の下面に貼付されている。アーム７１は、駆動機構７３によって、回転および昇降が可能とされている。
このクリーナ７０による光学ヘッド１７のクリーニングの手順を、以下に説明する。
光磁気ディスク装置Ｐ２の装填部Ｌ２に光磁気ディスクＤが装填されているときは、アーム７１は光磁気ディスクＤに干渉しない位置に待避している。図７においては、待避位置にある状態のクリーナ機構７０が実線で示されている。そして、光磁気ディスクＤが光磁気ディスク装置Ｐ２に装填されていない状態となってから、クリーニングが開始される。まず、アーム７１が駆動機構７３によって、待避位置から光学ヘッド１７の直上の位置へ回転される。次に、アーム７１が駆動機構７３によって光学ヘッド１７の方向に下降される。すると、粘着性シート７２と光学ヘッド１７の対物レンズ１７ａとが接触する。そして、対物レンズ１７ａの塵埃が粘着性シート２に付着することによって、対物レンズ１７ａがクリーニングされる。この後に、アーム７１が駆動機構７３によって、光学ヘッド１７から離反する方向に上昇された後に、待避位置へと回転される。
このような構成によれば、使用者がクリーナを装填するための作業を行なうことなく、光学ヘッド１７をクリーニングすることができる。また、塵埃が粘着性シート７２に付着され、光磁気ディスク装置Ｐ２内に飛散しないため、光磁気ディスク装置Ｐ２内に塵埃が堆積することを回避できる。なお、アーム７１を昇降させることなく、光学ヘッド１７を昇降させることにより、粘着シート７２と対物レンズ１７ａとを接触させる構成としてもよい。
上記実施形態においては、粘着性シートの材料としてシリコーンゴムを用いているが、本発明はこれに限られるものではない。本発明においては、粘着性シートをシリコーンゴム以外のゴム状弾性を有する材質により、構成することができる。
本発明においては、上記粘着性シートの材料として、たとえばシリコーンを主原料とするゲル状物質（たとえば、株式会社ジェルテック社製、登録商標アルファジェル）を用いてもよい。このゲル状物質には、上記実施形態において用いられたシリコーンゴムと同様に、対物レンズ１７ａの塵埃を付着するための十分な粘着性を具備させることが可能である。また、ゲル状物質は、柔軟であり外力に対して変形可能である。よって、このゲル状物質を対物レンズ１７ａに接触させるときにも、対物レンズ１７ａに柔軟に馴染ませることができる。このため、ゲル状物質を用いる場合には、弾性を有することは特に必要としない。
【図１】
2004066291.tif 000003
【図２】
2004066291.tif 000004
【図３】
2004066291.tif 000005
【図４】
2004066291.tif 000006
【図５】
2004066291.tif 000007
【図６】
2004066291.tif 000008
【図７】
2004066291.tif 000009
【手続補正書】
【提出日】平成17年1月27日(2005.1.27)
【手続補正１】
【補正対象書類名】明細書
【補正対象項目名】全文
【補正方法】変更
【補正の内容】
【書類名】    明細書
【特許請求の範囲】
【請求項１】光情報処理装置の光学ヘッドに接触可能なクリーニング用の接触部材を備え
ている、光情報処理装置用クリーナであって、
上記接触部材として、表面に粘着性を有する粘着性部材が用いられていることを特徴とする、光情報処理装置用クリーナ。
【請求項２】上記粘着性部材は、上記光学ヘッドに接触するときには、その接触方向と交
差する方向への移動が阻止された状態を維持するように構成されている、請求項１に記載の光情報処理装置用クリーナ。
【請求項３】上記粘着性部材の少なくとも表層部は、ゴム状弾性を有している、請求項１
に記載の光情報処理装置用クリーナ。
【請求項４】上記粘着性部材の少なくとも表層部は、ゲル状物質により構成されている、
請求項１に記載の光情報処理装置用クリーナ。
【請求項５】光学ヘッドと、この光学ヘッドに接触可能なクリーニング用の接触部材を備
えている、光情報処理装置であって、
上記接触部材として、表面に粘着性を有する粘着性部材が用いられていることを特徴とする、光情報処理装置。
【発明の詳細な説明】
【０００１】
【技術分野】
本発明は、光情報処理装置の光学ヘッドをクリーニングするためのクリーナおよび光情報処理装置に関する。
【０００２】
本明細書でいう「光情報処理装置」とは光学的手段を用いることによりデータの記録および／または再生が可能な情報処理装置を意味している。したがって、光ディスクからデータの読み取りを専用に行なう狭義の光情報処理装置に加え、光磁気記録方式や相変化方式などによって光記録媒体に対するデータの書き換えが可能なタイプの情報処理装置も含む広い概念である。
【０００３】
【背景技術】
ＣＤプレーヤやＤＶＤプレーヤに代表される光ディスク装置においては、光ディスクに対する情報の読み書きは、光学ヘッドを用いて行われる。この光学ヘッドは、レーザ光源から進行してきたレーザ光を集束させることにより光ディスクの記録面上にレーザスポットを形成する対物レンズを備えている。この対物レンズには、塵埃が付着する虞れがあり、この対物レンズが汚れると、光学ヘッドの読み書き性能が悪化する。したがって、光学ヘッドは、定期的にクリーニングされることが望ましく、従来においては、次に述べるように、種々のクリーナが提案されている。
【０００４】
特開２０００−２５１２９６号公報には、光ディスク装置用のクリーナが記載されている。このクリーナは、ディスクにブラシを設けたものである。このクリーナを光ディスク装置内に装填することにより、上記ディスクを高速回転させた状態で上記ブラシを上記光ディスク装置の光学ヘッドに接触させると、上記光ディスクのクリーニングが行なわれる。
【０００５】
特開平４−２２１４３２号公報、特開平５−１２０７１３号公報、特開平６−１２４４７３号公報、および特開平８−５５３５６号公報には、光学ヘッドをクリーニングするための接触部材として、布、湿式チップ、弾性変形可能な多孔体、またはスポンジ状弾性部材を用いたクリーナが記載されている。これらの公報に記載されたクリーナにおいても、特開２０００−２５１２９６号公報に記載されたクリーナと同様に、上記接触部材を高速で回転させながら光学ヘッドに接触させることにより、この光学ヘッドのクリーニングを行なうようになっている。
【０００６】
しかしながら、これらの従来技術においては、上記接触部材を高速回転させながら上記光学ヘッドに接触させるために、上記光学ヘッドの対物レンズに傷がつく虞れがある。また、上記光学ヘッドに付着している塵埃は、上記接触部材の高速回転作用によって上記光情報処理装置内に飛び散る。したがって、上記光ディスク装置内には塵埃が残留し、堆積するという問題点もある。
【０００７】
【発明の開示】
本発明の目的は、上記の問題点を解消または軽減することができる光情報処理装置用クリーナおよび光情報処理装置を提供することにある。
【０００８】
本発明の第１の側面によって提供される光情報処理装置用クリーナは、光情報処理装置の光学ヘッドに接触可能なクリーニング用の接触部材を備えている、光情報処理装置用クリーナであって、上記接触部材として、表面に粘着性を有する粘着性部材が用いられていることを特徴としている。
【０００９】
好ましくは、上記粘着性部材は、上記光学ヘッドに接触するときには、その接触方向と交差する方向への移動が阻止された状態を維持するように構成されている。
【００１０】
好ましくは、上記粘着性部材の少なくとも表層部は、ゴム状弾性を有している。
【００１１】
好ましくは、上記粘着性部材の少なくとも表層部は、ゲル状物質により構成されている。
【００１２】
好ましくは、本発明に係る光情報処理装置用クリーナは、光情報処理装置の光記録媒体用の装填部に装填可能に形成されたカートリッジを備えており、かつ、上記カートリッジには、上記粘着性部材が収容されているとともに、上記粘着性部材と上記光学ヘッドとの接触を可能とする窓部が形成されている。
【００１３】
好ましくは、本発明に係る光情報処理装置用クリーナは、上記窓部を開閉自在とするシャッタを備えている。
【００１４】
好ましくは、上記粘着性部材は、上記カートリッジ内のうち、上記窓部と対向する箇所に固定して設けられている。
【００１５】
好ましくは、上記カートリッジ内には、クランピング用のディスクが回転可能に収容されており、かつ上記粘着性部材は上記ディスクから離れた箇所に位置している。
【００１６】
好ましくは、クランピング用の第１のディスクと、この第１のディスクに支持され、かつ上記粘着性部材を搭載している第２のディスクと、を備えており、上記第１および第２のディスクは、それらの周方向に互いに相対回転可能とされている。
【００１７】
好ましくは、上記第１のディスクの中央部には、スピンドル挿入用の孔部が形成されている。
【００１８】
好ましくは、上記第２のディスクの中央部には、孔部が形成されており、かつこの孔部に上記第１のディスクの全体または一部が相対回転可能に嵌合している。
【００１９】
好ましくは、上記光情報処理装置に組み込まれ、かつ上記粘着性部材を支持している支持手段を備えており、上記光学ヘッドおよび上記支持手段の少なくとも一方が、フォーカス方向およびこのフォーカス方向と交差する方向に移動することにより、上記光学ヘッドおよび上記粘着性部材の接触動作と離反動作とが可能な構成とされている。
【００２０】
本発明の第２の側面によって提供される光情報処理装置は、光学ヘッドと、この光学ヘッドに接触可能なクリーニング用の接触部材を備えている、光情報処理装置であって、上記接触部材として、表面に粘着性を有する粘着性部材が用いられていることを特徴としている。
【００２１】
本発明の特徴および利点は、以下に述べる発明の実施の形態の説明からより明らかになるであろう。
【００２２】
【発明を実施するための最良の形態】
以下、本発明の好ましい実施の形態について、図面を参照しつつ具体的に説明する。
【００２３】
図1および図２は、本発明が適用された光情報処理装置用のクリーナの一例を表している。クリーナＣ1は、光磁気ディスク装置のクリーニングのために用いられるものであって、カートリッジ４と、カートリッジ４に収容されているディスク１と、粘着性シート２と、クランピングディスク３と、シャッター５とを備えて構成されている。
【００２４】
カートリッジ４は、内部に空間部を形成するように、第１の部材４０と第２の部材４１を接合して形成されている。第１の部材４０には、窓部４０ａが形成されている。カートリッジ４内の中央部には、図３に示されている光磁気ディスク装置Ｐ1のスピンドル２０によって回転させられるクランピングディスク３が取り付けられている。第２の部材４１の中央部には、光磁気ディスク装置Ｐ1のスピンドル２０を接触可能とするために、クランピングディスク３の一側面を露出させるように円形状の開口部４１ａが形成されている。シャッター５は、窓部４０ａを開閉するためのものであり、常時はバネ（図示略）の力により窓部４０ａを閉状態に保つ。これに対し、クリーナＣ1が光磁気ディスク装置Ｐ1内に装填されたときには、このシャッター５は光磁気ディスク装置Ｐ1のシャッター開口機構により移動し、窓部４０ａを開く。
【００２５】
粘着性シート２は、ディスク１の片面のうち、窓部４０ａと対向する位置に貼付されている。粘着性シート２としては、塵埃を効果的に付着させるのに十分な粘着性を表面に備えた材質のものが用いられている。ただし、過剰な粘着性を有した材料は、光磁気ディスク装置Ｐ1の光学ヘッド１７に粘着成分が付着するため適さない。粘着性シート２は、その全体がゴム状弾性を有しており、その具体的な材質は、シリコーンゴムとされている。上記ような要件を備え、かつ広く流通している材料としては、たとえば信越化学工業株式会社製ＫＥ３４９５やサカセ化学工業株式会社製ＳＲＴ−３３−Ｓなどがある。具体的には、粘着性シート２は、その全体がシリコーンゴムからなり、接着剤などによってディスク１に貼付されるような構成とすることができる。また、本発明においては、表層部のみがシリコーンゴムからなり、かつ他方の面に粘着層が形成されており、それらが基材とともに積層されているシートを用いた構成としてもよい。
【００２６】
ディスク１は、中央に開口部１ａ有しており、それにクランピングディスク３を組み合わせた状態における形状およびサイズは、一般のカートリッジタイプの光磁気ディスクに類似したものとなっている。このディスク１は、ディスク１に設けられた開口部１ａとカートリッジの第２の部材４１に設けられたピン４１ｂとが嵌合されることにより、第２の部材４１に固定されている。一方、クランピングディスク３は、カートリッジ４の第１の部材４０および第２の部材４１によって、回転可能に支持されている。図１に示された例においては、クランピングディスク３に設けられた開口部３ａに、第１の部材４０に設けられたピン４０ｂが挿入され、かつクランピングディスク３が第１の部材４０と第２の部材４１とに挟まれることにより、クランピングディスク３は、ディスク１の内側において回転自在に支持されている。このような構成によれば、クリーナＣ1が光磁気ディスク装置Ｐ1に装填されたときには、光磁気ディスク装置Ｐ1のスピンドル２０によってクランピングディスク３のみが回転されることとなり、ディスク１は回転されない。
【００２７】
次に、クリーナＣ1が用いられる光磁気ディスク装置Ｐ1の構成について図３を参照して説明する。
【００２８】
光磁気ディスク装置Ｐ1は、光学ユニット１３、キャリッジ１５、スピンドル２０を備えている。光学ユニット１３は、レーザ光源、および光を成形するプリズムなどの発光系と、光ディスクから戻ってくる光を分光するビームスプリッタ、戻り光を感知するディテクタ、およびディテクタに光を集光するレンズなどの受光系とを備えている（いずれも図示略）。光学ユニット１３から出射されたレーザ光１４はキャリッジ１５の立ち上げミラー１６によって、ディスク１へと方向を変えられる。レーザ光１４は光学ヘッド１７に備えられた対物レンズ１７ａを通過して装填部Ｌ1に装填された光磁気ディスク（図示略）に照射される。（図３においては、クリーナＣ1が装填された状態を示しており、上記光磁気ディスクは示されていない。）キャリッジ１５にはベアリング１９が備えられており、ディスク１の半径方向に移動可能とされている。光学ヘッド１７はアクチュエータ１８内のサスペンション（図示略）により支持されている。このアクチュエータ１８によって光学ヘッド１７の位置が制御されることにより、フォーカス制御が行なわれる。具体的には、光磁気ディスク装置Ｐ1に光磁気ディスクが装填された直後やデータの読み書きが行われるときには、アクチュエータ１８によって、光学ヘッド１７が光磁気ディスクに近づけられ、フォーカシングが正確になされると、その状態を保つようにアクチュエータ１８が制御される。フォーカシングが適正になされない場合には、上記した制御が再度実行され、フォーカシングが適正になるまで、上記制御が一定回数だけ繰り返し行われる。また、光学ヘッド１７は、対物レンズ１７ａのほかに、磁気形成用コイル（図示略）を備えている。
【００２９】
次に、クリーナＣ1による光学ヘッド１７のクリーニング動作について説明する。
【００３０】
まず、光磁気ディスク装置Ｐ1の装填部Ｌ1にクリーナＣ1を装填すると、クランピングディスク３がスピンドル２０によって保持される。また、光磁気ディスク装置Ｐ1の開口機構（図示略）によりシャッター５が移動されることにより窓部４０ａが開く。次にフォーカス制御が開始され、アクチュエータ１８により、対物レンズ１７ａがクリーナＣ1に近づけられる。この最中にスピンドル２０が回転することにより、クリーナＣ1のクランピングディスク３が回転させられる場合においても、上述した構成により、ディスク１は回転させられない。よって、停止した状態の粘着性シート２に向かって、対物レンズ１７ａが近づけられ、そして粘着性シート２と対物レンズ１７ａとが接触する。このとき、粘着性シート２は静止しており、対物レンズ１７ａを物理的に払拭しない。しかし、粘着性シート２は適度な粘着性を有するために、対物レンズ１７ａの塵埃が粘着性シート２に付着する。これにより、対物レンズ１７ａはクリーニングされる。一方、粘着性シート２はシリコーンゴムからなっているため、光を反射しにくい。したがって、上記ディテクタは戻り光を検知できないため、この後は、フォーカス制御が継続される。よって、対物レンズ１７ａが繰り返して上下に駆動されることによって、粘着性シート２と対物レンズ１７ａとが繰り返し接触することとなり、対物レンズ１７ａのクリーニングが繰り返される。上記の工程が数回繰り返された後に、たとえば光磁気ディスク装置Ｐ1がディスク判定についてのエラーが発生したと認識し、フォーカス制御を終了する。これにより対物レンズ１７ａを備えた光学ヘッド１７は、所定の位置に待避され、対物レンズ１７ａのクリーニングが完了する。
【００３１】
このように、粘着性シート２は回転することなく、静止状態のままで、対物レンズ１７ａに対して接触するのみである。よって両者の間には水平方向の摩擦力がほとんど発生することがない。また、シリコーンゴムからなる粘着性シート２は柔軟性を有しており、かつ接触時には対物レンズ１７ａに馴染むように弾性変形することにより、衝突などによる無理な力がかかることもない。よって、対物レンズ１７ａに傷がつくことや、光学ヘッド１７の他の部分を破損することを防止することができる。さらに、粘着性シート２はその表面に付着した塵埃を保持する機能を発揮するため、この粘着性シート２に付着した塵埃が再び対物レンズ１７ａに付着することがない。そして、ブラシによるクリーニングのように、高速で塵埃を払拭することもないため、光磁気ディスク装置Ｐ1内に塵埃が飛散することもない。そのため、光磁気ディスク装置Ｐ1内に塵埃が残留し堆積することを防ぐことができる。
【００３２】
図４および図５は本発明の他の例を示している。本実施形態のクリーナＣ2は、クリーナＣ1とは異なり、上記カートリッジを有しない媒体を読み書きするための光ディスク装置をクリーニングするために用いられるものであって、クリーナディスク５１と、クランピングディスク５２と、リング状の粘着性シート５３とを備えて構成されている。
【００３３】
粘着性シート５３は、ディスク５１の片面全周を覆うように貼付されている。また、粘着性シート５３の材料としては、上述した実施例と同様にシリコーンゴムが適している。
【００３４】
クランピングディスク５２は、ディスク５１の中央部に設けられた開口部内に嵌合されている。ディスク５１の内周面の環状凹部５１ａとクランピングディスク５２の外周面の環状凸部５２ａとは嵌合しており、このことにより、ディスク５１およびクランピングディスク５２は、それらの周方向に互いに相対回転可能であり、かつそれらの厚み方向に外れない構成とされている。
【００３５】
次に、クリーナＣ2の作用について説明する。
【００３６】
まず、クリーナＣ2を光ディスク装置の装填部に装填すると、上記光ディスク装置のスピンドル８１によって、クランピングディスク５２が保持される。上記光ディスク装置の光学ヘッド８０はフォーカス制御を行なうために、クリーナＣ2の下方からクリーナＣ2に向けて近づけられる。その後、上記光学ヘッド８０に備えられた対物レンズ８０ａと粘着性シート５３とが接触する。このとき、スピンドル８１が回転することによってクランピングディスク５２が回転される場合がある。しかし、ディスク５１とクランピングディスク５２とは、互いに相対回転可能な構成とされている。また、ディスク５１は粘着性シート５３を介して上記対物レンズに接触する。よって、上記の場合においては、少なくとも粘着性シート５３と対物レンズ８０ａとが接触している間は、ディスク５１は停止しており、クランピングディスク５２のみが回転する。そして、対物レンズ８０ａの塵埃が粘着性シート５３に付着することにより、対物レンズ８０ａがクリーニングされる。したがって、上述した実施形態と同様のクリーニング作用が得られる。
【００３７】
図６は、上記カートリッジを有しない媒体を読み書きするための光ディスク装置に用いられるクリーナの他の例を示している。
【００３８】
本実施形態のクリーナＣ3は、クリーナＣ2と類似した構成とされており、ディスク６１と、クランピングディスク６２と、リング状の粘着性シート６３とを備えている。クランピングディスク６２は、下部材６２ａと上部材６２ｂとによって構成されている。下部材６２ａの一部が、ディスク６１に設けられた孔を通して、上部材６２ｂに設けられた孔に嵌入されることにより、上部材６２ａと下部材６２ｂとが結合されている。このような構成により、ディスク６１およびクランピングディスク６２は、互いに相対回転可能であり、かつそれらの厚み方向に外れない構成とされている。このような構成によれば、クリーナＣ2を用いてクリーニングしたときと同様の作用が得られる。
【００３９】
図７は本発明に係る光磁気ディスク装置の一例を表している。
【００４０】
光磁気ディスク装置Ｐ2は、上述した光磁気ディスク装置Ｐ1と同様に、光学ユニット（図示略）、キャリッジ１５、光学ヘッド１７、およびスピンドル２０を備えている。さらに、これらに加えて、クリーナ７０を有している。クリーナ７０は、アーム７１と、粘着性シート７２と、駆動機構７３とを具備して構成されている。
【００４１】
粘着性シート７２は、上述した実施例で用いられたシリコーンゴムからなっており、アーム７１の下面に貼付されている。アーム７１は、駆動機構７３によって、回転および昇降が可能とされている。
【００４２】
このクリーナ７０による光学ヘッド１７のクリーニングの手順を、以下に説明する。
【００４３】
光磁気ディスク装置Ｐ2の装填部Ｌ2に光磁気ディスクＤが装填されているときは、アーム７１は光磁気ディスクＤに干渉しない位置に待避している。図７においては、待避位置にある状態のクリーナ機構７０が実線で示されている。そして、光磁気ディスクＤが光磁気ディスク装置Ｐ2に装填されていない状態となってから、クリーニングが開始される。まず、アーム７１が駆動機構７３によって、待避位置から光学ヘッド１７の直上の位置へ回転される。次に、アーム７１が駆動機構７３によって光学ヘッド１７の方向に下降される。すると、粘着性シート７２と光学ヘッド１７の対物レンズ１７ａとが接触する。そして、対物レンズ１７ａの塵埃が粘着性シート７２に付着することによって、対物レンズ１７ａがクリーニングされる。この後に、アーム７１が駆動機構７３によって、光学ヘッド１７から離反する方向に上昇された後に、待避位置へと回転される。
【００４４】
このような構成によれば、使用者がクリーナを装填するための作業を行なうことなく、光学ヘッド１７をクリーニングすることができる。また、塵埃が粘着性シート７２に付着され、光磁気ディスク装置Ｐ2内に飛散しないため、光磁気ディスク装置Ｐ2内に塵埃が堆積することを回避できる。なお、アーム７１を昇降させることなく、光学ヘッド１７を昇降させることにより、粘着性シート７２と対物レンズ１７ａとを接触させる構成としてもよい。
【００４５】
上記実施形態においては、粘着性シートの材料としてシリコーンゴムを用いているが、本発明はこれに限られるものではない。本発明においては、粘着性シートをシリコーンゴム以外のゴム状弾性を有する材質により、構成することができる。
【００４６】
本発明においては、上記粘着性シートの材料として、ゲル状物質を用いてもよい。ゲル状物質としては、シリコーンを主原料とするゲル状物質（たとえば、株式会社ジェルテック社製、登録商標アルファジェル）などがある。このゲル状物質には、上記実施形態において用いられたシリコーンゴムと同様に、対物レンズ１７ａの塵埃を付着するための十分な粘着性を具備させることが可能である。また、ゲル状物質は、柔軟であり外力に対して変形可能である。よって、このゲル状物質を対物レンズ１７ａに接触させるときにも、対物レンズ１７ａに柔軟に馴染ませることができる。このため、ゲル状物質を用いる場合には、弾性を有することは特に必要としない。
【００４７】
【図面の簡単な説明】
【図１】
図１は、本発明に係る光情報処理装置用クリーナの一例の断面図である。
【図２】
図２は、図１に示す光情報処理装置用クリーナの分解斜視図である。
【図３】
図３は、図１に示す光情報処理装置用クリーナの使用状態の説明図である。
【図４】
図４は、本発明に係る光情報処理装置用クリーナの他の例の断面図である。
【図５】
図５は、図４に示す光情報処理装置用クリーナの底面図である。
【図６】
図６は、本発明に係る光情報処理装置用クリーナの他の例の断面図である。
【図７】
図７は、本発明に係る光情報処理装置用クリーナの他の例の概略斜視図である。
【手続補正２】
【補正対象書類名】図面
【補正対象項目名】図２
【補正方法】変更
【補正の内容】
【図２】
2004066291.tif 000010
【国際調査報告】
2004066291.tif 000011
2004066291.tif 000012
2004066291.tif 000013